(57)【要約】      （修正有）【課題】前後開口の背枠体にメッシュ材を張った構造の背もたれにおいて、ランバーサポート体の新たな取り付け構造を提供する。【解決手段】背もたれは背枠体１９を有しており、背枠体１９は、上下長手のサイドフレームを備えている。サイドフレームのうち着座者の腰部のあたりの高さ位置に、内向き張り出し部を形成して、内向き張り出し部に上下長手のガイド溝穴６１を形成している。ランバーサポート体２７は、支持部２７ａと摘み２７ｂとを有しており、支持部２７ａには、ガイド溝穴６１に嵌まるスライダー６２を設けている。スライダー６２にはストッパー突起６３を設けて、ガイド溝穴６１には、ストッパー突起６３が係脱するストッパー溝を多段に形成している。【選択図】図１０
2017113465.tif 000002
【特許請求の範囲】
【請求項１】
左右側部が上下長手の左右サイドフレームで形成された前後開口の背枠体と、前記背枠体に張られたメッシュ材と、前記メッシュ材を後ろから支えるランバーサポート体とを有している構成であって、
前記左右サイドフレームに相対向するように内向き張り出し部を設け、前記内向き張り出し部を含んだ部位に、前記ランバーサポート体を高さ調節可能に取り付けている、
椅子の背もたれ。
【請求項２】
左右側部が上下長手の左右サイドフレームで形成された前後開口の背枠体と、前記背枠体に張られたメッシュ材と、前記メッシュ材を後ろから支えるランバーサポート体とを有している構成であって、
前記ランバーサポート体は左右に分離しており、各ランバーサポート体は、一部が正面視で前記サイドフレームの前面に重なる状態で、前記サイドフレームに高さ調節可能に取り付けられている、
椅子の背もたれ。
【請求項３】
左右側部が上下長手の左右サイドフレームで形成された前後開口の背枠体と、前記背枠体に張られたメッシュ材と、前記メッシュ材を後ろから支えるランバーサポート体とを有している構成であって、
前記背枠体の前側には、当該背枠体と略相似形のメッシュ材保持枠が重なっていて、前記メッシュ材保持枠の前面に前記メッシュ材が張られており、かつ、背枠体の内周のうち少なくとも前記ランバーサポート体の部分は、前記メッシュ材保持の内周よりも僅かに内側に張り出している、
椅子の背もたれ。
【請求項４】
前記サイドフレーム又は前記内向き張り出し部に、前向きに開口した上下長手のガイド溝穴を形成している一方、
前記ランバーサポート体は左右に分離しており、これら両ランバーサポート体には、前記ガイド溝穴に上下動自在に嵌まるスライダーを設けており、前記スライダーとガイド溝穴とに、スライダーの弾性に抗して係脱する係合手段を設けている、
請求項１〜３のうちのいずれかに記載した椅子の背もたれ。
【請求項５】
前記左右のランバーサポート体には、人が昇降操作するための摘みを後ろ向き突設しており、前記摘みは、前記サイドフレームの内側面に当接又は近接している、
請求項２又は４に記載した椅子の背もたれ。
【発明の詳細な説明】
【技術分野】
【０００１】
本願発明は、ランバーサポート体付きの背もたれに関するものである。
【背景技術】
【０００２】
椅子の背もたれにおいて、着座した人の腰部を的確に支えるためのランバーサポート体を設けることは広く行われている。ランバーサポート体は、高さが一定の固定式と高さ調節が可能なものとがあり、また、背もたれのうち左右中間部を支えるタイプと、左右に分離していて背もたれの左右側部を支えるものとがある。
【０００３】
ランバーサポート体の取り付け構造は様々であり、背もたれの基本構造によって異なっている。前後に開口した背枠体にメッシュ材を張った構造の背もたれがあるが、このタイプの背もたれにランバーサポート体の取り付ける方法として、特許文献１，２には、背枠体に横長の中間フレームを一体に設け、この横長の中間フレームにランバーサポート体を取り付けることが開示されている。
【先行技術文献】
【特許文献】
【０００４】
【特許文献１】特開２０１５−１３１１３号公報
【特許文献１】特開２０１５−９２９２４号公報
【発明の概要】
【発明が解決しようとする課題】
【０００５】
特許文献１，２のように背枠体に中間フレームを設けると、背枠体の強度が高まると共に、ランバーサポート体の支持安定性に優れているが、背枠体に中間フレームを備えていない背もたれには適用できないという問題がある。
【０００６】
本願発明は、このような現状を改善すべく成されたものである。
【課題を解決するための手段】
【０００７】
本願発明者たちは、改良された技術として各請求項の発明を創作した。このうち請求項１の発明は、左右側部が上下長手の左右サイドフレームで形成された前後開口の背枠体と、前記背枠体に張られたメッシュ材と、前記メッシュ材を後ろから支えるランバーサポート体とを有している、という基本構成になっている。
【０００８】
そして、請求項１では、上記基本構成において、前記左右サイドフレームに相対向するように内向き張り出し部を設け、前記内向き張り出し部を含んだ部位に、前記ランバーサポート体を高さ調節可能に取り付けている。ランバーサポート体は、内向き張り出し部のみに取り付けてもよいし、サイドフレームのうち内向き張り出し部を含んだ広い範囲に取り付けてもよい。メッシュ材、可撓性を有して着座者の体圧を支持できる材料を意味しており、編地や織地に限定されるものではない。
【０００９】
請求項２の発明は、請求項１と同じ基本構成において、前記ランバーサポート体は左右に分離しており、各ランバーサポート体は、一部が正面視で前記サイドフレームの前面に重なる状態で、前記サイドフレームに高さ調節可能に取り付けられている。
【００１０】
請求項３の発明は、請求項１と同じ基本構成において、前記背枠体の前側には、当該背枠体と略相似形のメッシュ材保持枠が重なっていて、前記メッシュ材保持枠の前面に前記メッシュ材が張られており、かつ、背枠体の内周のうち少なくとも前記ランバーサポート体の部分は、前記メッシュ材保持の内周よりも僅かに内側に張り出している。
【００１１】
請求項４の発明は、請求項１〜３のうちのいずれかにおいて、前記サイドフレーム又は前記内向き張り出し部に、前向きに開口した上下長手のガイド溝穴を形成している一方、前記ランバーサポート体は左右に分離しており、これら両ランバーサポート体には、前記ガイド溝穴に上下動自在に嵌まるスライダーを設けており、前記スライダーとガイド溝穴とに、スライダーの弾性に抗して係脱する係合手段を設けている。
【００１２】
請求項５の発明は、請求項２又は４において、前記左右のランバーサポート体には、人が昇降操作するための摘みを後ろ向き突設しており、前記摘みは、前記サイドフレームの内側面に当接又は近接している。
【００１３】
請求項２〜４ではランバーサポート体を左右に分離した構成になっているが、請求項１では、左右の内向き張り出し部に別々のランバーサポート体を取り付けることと、左右の内向き張り出し部を利用して１つのランバーサポート体を取り付けることとを含んでいる。後者の場合は、ランバーサポート体は、メッシュ材の左右中間部のみを支えてもよいし、メッシュ材を左右略全長にわたって支持してもよい。
【発明の効果】
【００１４】
請求項１の発明によると、内向き張り出し部を設けたことでランバーサポート体の取り付け面積を大きくできるため、サイドフレームの強度低下をもたらすことなく、ランバーサポート体を安定的に取り付けることができる。このため、着座者の腰部の高さ位置に中間フレームを備えていない背枠体についても問題なく適用できて、汎用性に優れている。実施形態のように、内向き張り出し部を背支柱への連結部に兼用すると、内向き張り出し部を有効利用して、構造の簡素化等に後傾できる。
【００１５】
ランバーサポート体を左右に分離すると、ランバーサポート体が直接に身体に当たることを防止又は抑制して、身体への当たりの柔らかさを確保できる利点がある。この点、請求項２の構成を採用すると、ランバーサポート体の左右幅は変えることなく、ランバーサポート体位置を左右外側に寄せることができるため、ランバーサポート体が身体に当たることを、的確に実現できる。
【００１６】
また、メッシュ材の支持位置が左右外側に広がるため、メッシュ材保持枠を引っ張る機能も向上する。これにより、メッシュ材で使用者の腰部を支えるランバーサポート機能を向上できる利点がある。また、ランバーサポート体はメッシュ材によってサイドフレームの前面に押される状態になるため、メッシュ材の姿勢の安定性も向上できる。
【００１７】
請求項３の発明では、メッシュ材保持枠の内周のうち少なくともランバーサポート体の部分が背枠体の内周よりも外側に位置しているため、ランバーサポート体の一部を、背枠体とメッシュ材保持枠との段差の個所でサイドフレームにて支持できることにより、支持安定性を向上可能になる。なお、メッシュ材保持枠の一部を外側に切り欠くことによっても同じ効果を得ることができる。
【００１８】
ランバーサポート体の昇降ガイド手段としては、様々な組み合わせを採用できるが、請求項３の構成を採用すると、簡単な構造によってランバーサポート体を的確にガイドできる利点がある。また、ランバーサポート体はサイドフレームの内側にはみ出ているため、ランバーサポート体には、メッシュ材で後ろに押されることによって曲げモーメントが作用するが、スライダーがガイド溝穴に嵌まっていることにより、ランバーサポート体の曲がりや変形を確実に防止できる。従って、ランバーサポート体の取り付け強度においても優れている。
【００１９】
上記のとおり、ランバーサポート体がサイドフレームの内側にはみ出ていると、ランバーサポート体には、メッシュ材で後ろに押されることによって曲げモーメントが作用するが、請求項４の発明では、摘みが、サイドフレームの（或いは内向き張り出し部の）内側面で直接に又は間接的に支持されることにより、ランバーサポート体の姿勢変化を抑制できる。このため、ランバーサポート体を所定の姿勢にしっかりと保持して、メッシュ材の支持安定性を向上できる。
【図面の簡単な説明】
【００２０】
【図１】実施形態の椅子の外観図であり、（Ａ）は前から見た斜視図、（Ｂ）（Ｃ）は後ろから見た斜視図、（Ｄ）は右側面図である。
【図２】（Ａ）はベースと傾動フレームとの分離斜視図、（Ｂ）はベースを後ろから見た斜視図である。
【図３】（Ａ）は主要部材の分離斜視図、（Ｂ）はメッシュ材を省略した状態での正面図、（Ｂ）はメッシュ材を省略した状態での斜視図である。
【図４】（Ａ）は背部を後ろから見た一部分離斜視図、（Ｂ）背部を後ろから見た部分的な斜視図、（Ｂ）は背枠体とランバーサポート体と連結部カバーとの分離斜視図である。
【図５】（Ａ）は背支柱と背枠体との分離斜視図、（Ｂ）は背支柱の部分斜視図、（Ｃ）は背枠体の部分斜視図である。
【図６】（Ａ）は背支柱と背枠体との分離斜視図、（Ｂ）は背枠体の部分斜視図である。
【図７】連結部の平断面図である。
【図８】（Ａ）（Ｂ）は背枠体の斜視図、（Ｃ）（Ｄ）はメッシュ材保持体の斜視図である。
【図９】（Ａ）は背もたれの上端部の縦断側面図、（Ｂ）は背もたれの側部の平断面図、（Ｃ）は背もたれの下部の縦断側面図である。
【図１０】（Ａ）は背枠体とランバーサポート体と連結部カバーとの分離斜視図、（Ｂ）はランバーサポート体と連結部カバーとを組み合わせた状態での後方斜視図である。
【図１１】（Ａ）はランバーサポート体と連結部カバーとを組み合わせた状態での斜視図、（Ｂ）はランバーサポート体と連結部カバーとを背枠体に組み合わせた状態での斜視図、（Ｃ）はランバーサポート体と連結部カバーとを背枠体との分離斜視図である。
【図１２】ランバーサポート体の装着部の平断面図である。
【発明を実施するための形態】
【００２１】
次に、本願発明の実施形態を図面に基づいて説明する。本実施形態では、方向を特定するため、前後・左右の文言を使用するが、これは、椅子に普通に腰掛けた人の向きを基準にしている。正面視は、着座した人と対向した方向から見た状態である。内向き・外向ききの文言も使用するが、内向きは、左右方向のうち、背もたれの縦長中心線を向いた方向であり、外向きは逆方向である。
【００２２】
(1).椅子の概略
まず、図１〜３を参照して椅子の概略を説明する。本実施形態の椅子は、事務用等に多用されている回転椅子であり、主要要素として、脚装置１、座２、背もたれ３を備えている。脚装置１は、中央部に位置した脚支柱（ガスシリンダ）４と放射状に延びる枝杆と有しており、各枝杆の先端にはキャスタを設けている。
【００２３】
図１（Ｃ）のとおり、脚支柱４の上端にはベース５が嵌着されている。図２に示すように、ベース５には、左右横長の支軸６を介して回動部材７が取り付けられており、回動部材７に、傾動フレーム８が固定されている。回動部材７は、図示しないばねに抗して後傾動する。なお、座２は、ベース５と回動部材７とに連結された中間部材で支持されている。
【００２４】
図１（Ｄ）及び図２のとおり、傾動フレーム８は、基部９と左右の背支柱１０とを有して側面視でく字形に曲がった形態を成しており、左右の背支柱１０に背もたれ３が取り付けられている。傾動フレーム８の基部９は、左右のメンバーを、下ジョイント１１と中間ジョイント１２とで一体に連結した構造になっている（シェル状の構造体に穴を空けた構造と見ることも可能である。）。
【００２５】
下ジョイント１１は、回動部材７に設けた後ろ向き張り出し板１４に上から重なっており、下ジョイント１１には押さえ板１５が上から重なっている。そして、後ろ向き張り出し板１４と下ジョイント１１とに下方から挿通したビス１６を押さえ板１５にねじ込むことにより、下ジョイント１１が後ろ向き張り出し板１４に固定されている。
【００２６】
傾動フレーム８を構成する左右背支柱１０の上端は、左右横長の上ジョイント１８で一体に連結されている。上ジョイント１８が請求項に記載したジョイントに該当する。背支柱１０及び上ジョイント１８は概ね板状の形態であり、左右背支柱１０と上ジョイント１８と中間ジョイント１２とにより、角筒に近い形態が構成されている。このため、薄肉であっても、後ろ向きの外力や横向きの外力、或いは平面視でねじるような外力に対して、高い抵抗を発揮する。すなわち、薄肉であっても高い剛性を備えている。なお、傾動フレーム８は、樹脂の成形品又はアルミダイキャスト品である。
【００２７】
背もたれ３は、強度メンバーとしての背枠体１９を備えている。背枠体１９は樹脂の成形品であり（ダイキャスト品でもよい）、上下長手の左右サイドフレーム２０と、これらの上端に一体に繋がったアッパーフレーム２１と、サイドフレーム２０の下端に一体に繋がったロアフレーム２２とで概ね四角形に形成されている。そして、左右のサイドフレーム２０が背支柱１０に固定されている。なお、背枠体１９は背フレーム又はアウター枠と呼ぶことも可能である。
【００２８】
本実施形態の背もたれ３は、着座者の身体をメッシュ材１７で支えるタイプであり、メッシュ材１７は、背枠体１９に手前から重なるメッシュ材保持枠（インナー枠）２３に張られていて、メッシュ材保持枠２３が背枠体１９に取り付けられている。メッシュ材１７の縁部は、メッシュ材保持枠２３に縫着やタッカー止め等の手段で固定されている（テープ状の縁部材を使用して取り付けることも可能である。）。
【００２９】
メッシュ材保持枠２３は背枠体１９と相似形に形成されており、上下長手のサイドメンバー２４と左右長手のアッパーメンバー２５及びロアメンバー２６で構成されている。メッシュ材保持枠２３も樹脂の成形品である。請求項との関係では、背枠体１９は後ろ側部材に該当し、メッシュ材保持枠２３は前側部材に該当する。図３（Ｂ）に明示するように、メッシュ材保持２３の内周は背枠体１９の内周よりも少し外側に位置している。従って、背枠体１９の内周部がライン状の状態で手前に露出している。このため、デザイン的に優れていると云える。
【００３０】
背もたれ３には、メッシュ材１７を介して着座者の腰部を後ろから支える左右一対のランバーサポート体２７を設けている。ランバーサポート体２７は、背枠体１９のサイドフレーム２０に設けた内向きの後ろ向き係合枠部３８（詳細は後述する）に、高さ調節可能に装着されている。この点の詳細は後述する。
【００３１】
図１（Ｄ）から理解できるように、背支柱１０の上端部は、概ね着座者の腰部の高さと同じ程度の高さになっており、背もたれ３は、着座者の腰部の高さ位置が最も前になるように側面視で前向き凸状に曲がっている。そして、背支柱１０と背枠体１９との連結部はは、内側（左右サイドフレーム２０の間から）と後ろから、連結部カバー２８で覆われている。
【００３２】
(2).背枠体と背支柱との連結構造
次に、従前の図に加えて図５〜７も参照して、背枠体１９と背支柱１０との連結構造を説明する。例えば図５（Ａ）（Ｂ）に示すように、背支柱１０の上端部には、リア嵌合部として、前向き係合突起３１を設けている。前向き係合突起３１の概ね下半部は、左右方向の外向きに切除されており、従って、前向き係合突起３１の下半部は、上半部に比べて左右幅が小さくなっている。
【００３３】
そして、前向き係合突起３１に、上ジョイント１８から上向きに突出した上向き突出部３１ａと、上ジョイント１８から下きに突出した下向き突出部３１ｂとを設けている。上下の突出部３１ａ，３１ｂは、側面視で爪状の形態になっている。
【００３４】
図５（Ａ）に明示するように、下向き突出部３１ｂのうち前向き係合突起３１の幅狭部の左右方向の外側部位には、背支柱１０の前面よりも深く入り込んだリア係合溝３４を形成している。リア係合溝３４は下方にも開口している。前向き係合突起３１の上向き突出部３１ａには、ビス（ボルト）３５が後ろから貫通するビス挿通穴３６を空けている。図７から理解できるように、前向き係合突起３１における上向き突出部３１ａの後面には、ビス３５の頭を納める座繰り穴３７を形成している。
【００３５】
他方、背枠体１９のサイドフレーム２０に、背支柱１０の前向き係合突起３１に、これを囲うようにして嵌まる後ろ向き係合枠部３８を形成している。図９（Ｂ）から理解できるように、サイドフレーム２０は後ろ向き凹状はやや反った平断面形状であり、そこで、図５（Ａ）（Ｃ）のとおり、後ろ向き係合枠部３８は、サイドフレーム２０の後面に、上下リブ３９，４０とこれらに連続した縦長のサイドリブ４１とを後ろ向き突設することによって形成されている。
【００３６】
後ろ向き係合枠部３８と前向き係合突起３１とが前後から嵌まることにより、背枠体１９は、上下方向及び左右方向とのいずれの方向にもずれ不能に保持される。例えば図４（Ｃ）から理解できるように、後ろ向き係合枠部３８は、背枠体１９の内側面から若干の寸法だけ左右内向きにはみ出している。従って、後ろ向き係合枠部３８の一部が、請求項に記載した内向き張り出し部になっている。
【００３７】
例えば図５（Ａ）から理解できるように、後ろ向き係合枠部３８の内部には、前向き係合突起３１に形成したリア係合溝３４に入り込むフロント係合突起４２が、後ろ向きに突設されている。フロント係合突起４２の上面は、後ろに向けて高さが低くなる傾斜面４２ａになっており、これに対応して、前向き係合突起３１におけるリア係合溝３４の上面も、後ろに向けて高さが低くなる傾斜面３４ａになっている。従って、リア係合溝３４とフロント係合突起４２とは、側面視で、上面が後ろ下向きに傾斜した略台形状になっている。
【００３８】
後ろ向き係合枠部３８の下端部には、前向き係合突起３１の下向き突出部３１ｂに下から嵌入する上向き開口のポケット部４３を形成している。ポケット部４３は、後ろ向き係合枠部３８の下リブ４０の一部を凹ませることで形成されている。下リブ４０の下方には、背面視四角形の補助凹部４４が後ろ向きに開口している。
【００３９】
背枠体１９の後ろ向き係合枠部３８は、背支柱１０の前向き係合突起３１に手前から嵌め込まれるが、単に後ろ向きに平行移動させただけでは、下向き突出部３１ｂがポケット部４０の前面に当たってしまう（つかえてしまう。）。従って、背枠体１９を、その上端が手前にずれるように基準状態よりも傾けた姿勢にして、先に下向き突出部３１ｂをポケット部４３に差し込み、次いで、下向き突出部３１ｂを支点にした状態で背枠体１９を後ろに倒して所定の姿勢する、という手順により、上向き突出部３１ａが前向き係合突起３１に嵌め込まれる。
【００４０】
そして、例えば図５（Ｂ）から理解できように、下向き突出部３１ｂは、側面視で下窄まりの形状になっている。このため、先にポケット部４３を下向き突出部３１ｂに嵌め込むことが、容易になっている。また、フロント係合突起４２の上面とリア係合溝３４の上面とはいずれも傾斜面４２ａ，３４ａになっているため、フロント係合突起４２とリア係合溝３４との嵌まり合いもスムースにガイドされる。
【００４１】
例えば図６に示すように、下向き突出部３１ｂの上向き突出部３１ａと背枠体１９の後ろ向き係合枠部３８とは、既出のビス３５と、これが螺合するナット４５とで共締めされる。従って、ナット４５は、背枠体１９におけるサイドフレーム２０の前面に重ねて配置されている。ナット４５は、円筒状で一端にフランジを４６を設けたタイプが使用されている。なお、図６に明示するように、サイドフレーム２０の内周部には前向きのリブ５１が形成されている。
【００４２】
図５に示すように、前向き係合突起３１の下部と、後ろ向き係合枠部３８のサイドリブ４１及びフロント係合突起４２とは、左右横長のピン５０で連結されている。図５（Ａ）の矢印で示すうに、ピン５０は、サイドリブ４１、前向き係合突起３１、フロント係合突起４２という方向に挿入されており、ピン５０の先端は、背支柱１０の端部で停止している。
【００４３】
(3).連結部カバー
例えば図４から理解できるように、前向き係合突起３１の上下突出部３１ａ，３１ｂは後ろに露出しており、かつ、後ろ向き係合枠部３８は内向き（背もたれ３の縦長中心の方向）に露出している。そこで、これらを樹脂製の連結部カバー２８で覆っている。従って、連結部カバー２８は、後面板２８ａと側面板２８ｂを有する略Ｌ字状の断面形状であり（図７も参照）、上端と下端とに若干の蓋部２８ｃを設けている。
【００４４】
前向き係合突起３１は背支柱１０から前向きに突出しているので、後面板２８ａは、上ジョイント１８の上下幅の分だけ切り欠かれている。また、連結部カバー２８の側面板２８ｂは後ろ向き係合枠部３８のサイドリブ４１に重なっているので、ピン５０は、連結部カバー２８によって抜け不能に保持されている。従って、ピン５０の抜け止めのための専用部材は必要ない。
【００４５】
図４（Ａ）（Ｃ）に矢印で示すように、連結部カバー２８は、左右サイドフレーム２０の間から横向きに移動させることにより、背支柱１０と背枠体１９との連結部に嵌め込みセットされる。セットされると、後面板２８ａが背支柱１０に嵌まるため、落下不能に保持される。また、図４（Ｂ）に示すように、連結部カバー２８の側面板２８ｂにはランバーサポート体２７の摘み２７ｂが内側から重なっている。このため、連結部カバー２８は、ビスや係合爪等の手段を講じることなく、横向き移動不能に保持されている。ランバーサポート体２７の構造は後述する。
【００４６】
(4).メッシュ材保持枠と背枠体との連結構造
次に、メッシュ材保持枠２３と背枠体１９との連結構造を、図８，９を参照して説明する。メッシュ材保持枠２３と背枠体１９との連結手段は、左右側部と上部と下部とにそれぞれ形成している。すなわち、サイドメンバー２４とサイドフレーム２０との連結、アッパーメンバー２５とアッパーフレーム２１との連結、ロアメンバー２６とロアフレーム２２との連結がそれぞれ行われている。また、ビスによる連結も行っている。以下、順次説明する。
【００４７】
まず、サイドメンバー２４とサイドフレーム２０との連結手段としては、図８に示すように、サイドフレーム２０の上部に、正面視コ字形の位置決め突起５３を上下に離反して一対設けて、上下の位置決め突起５３の間の部位に、外向き鉤状のリア係合爪５４を前向きに突設している。
【００４８】
他方、メッシュ材保持枠２３のサイドメンバー２４には、サイドフレーム２０の位置決め突起５３に嵌まる背面視略角形の位置決め穴５５と、サイドフレーム２０のリア係合爪５４に上から噛み合う下向きのフロント係合爪５６を後ろ向きに突設している。位置決め穴５５は位置決め突起５３よりも上下長さが長くなっている。従って、位置決め穴５５を位置決め突起５３に嵌めた状態でサイドメンバー２４を下にずらすことにより、フロント係合爪５６がリア係合爪５４に上から噛み合うようになっている。
【００４９】
位置決め穴５５と位置決め突起５３とによって、サイドメンバー２４はサイドフレーム２０に対して左右ずれ不能に保持されて、フロント係合爪５６とリア係合爪５４との噛み合い（係合）により、サイドメンバー２４はサイドフレーム２０に対して前向き離反不能に保持されている。図９（Ｂ）では、位置決め穴５５と位置決め突起５３とが嵌合している個所の平断面を表示している。
【００５０】
アッパーメンバー２５とアッパーフレーム２１との連結手段としては、図８に部分的に表示するように、アッパーメンバー２５に、複数の下向き突起５６′を左右方向に適宜間隔で設けて、アッパーフレーム２１には、下向き突起５６が嵌まるアッパー係合穴５７を空けている。従って、アッパーメンバー２５は、アッパーフレーム２１に対して前後左右のいずれの方向にもずれ不能に保持されている。図９（Ａ）は、下向き突起５６′とアッパー係合穴５７とが嵌まった個所の断面を表示している。
【００５１】
ロアメンバー２６とロアフレーム２２との連結手段としては、図８（Ｃ）及び図９（Ｃ）に示すように、ロアメンバー２６の上面に、係合手段の一環として、前向き鉤状のストッパー爪５８を上向きに突設している一方、ロアフレーム２２の下面には、同じく係合手段の一環として、ストッパー爪５８が前向き移動不能に係合（当接）するストッパー段部５９を形成している。
【００５２】
図６（Ａ）において、背支柱１０と背枠体１９とを連結するためのビス３５の下に別のビス６０を表示しているが、このビス６０により、サイドメンバー２４とサイドフレーム２０とが連結されている。従って、ビス６０は、サイドフレーム２０を貫通してサイドメンバー２４にねじ込まれている。ビス６０は、ナット４５の下方においてサイドフレーム２０を貫通している。
【００５３】
(5).ランバーサポート装置
次に、ランバーサポート装置を、主として図１０〜１２を参照して説明する。図１０に明示するように、ランバーサポート体２７は、メッシュ材１７に後ろから当たる支持部２７ａと、支持部２７ａから後ろ向きに突出した摘み２７ｂとを有している。図１２に明示するように、支持部２７ａは、サイドフレーム２０における後ろ向き係合枠部３８の前面に重なっており、摘み２７ｂは、サイドフレーム２０の内側の個所において後ろ向きに突出している。また、支持部２７ａは、メッシュ材保持枠２３におけるサイドメンバー２４の一部にも重なっている。
【００５４】
そして、背枠体１９におけるサイドフレーム２０のうち後ろ向き係合枠部３８を設けた個所に、前向きに開口して上下長手のガイド溝穴６１を形成している一方、支持部２７ａには、ガイド溝穴６１に嵌まるスライダー６２を後ろ向きに突設している。スライダー６２は、背面視において摘み２７ｂの方向に開口したコ字形になっている。
【００５５】
更に、スライダー６２は上下３つ分断されていて、上下中間部は舌片６２ａになっており、この舌片６２ａの外面に、半球状のストッパー突起６３を設けている。他方、サイドフレーム２０におけるガイド溝穴６１の内側面には、ストッパー突起６３が係脱するストッパー溝６４を上下多段に多数形成している。従って、舌片６２ａが弾性変形して、ストト突起６３が任意のストッパー溝６４に嵌合することにより、ランバーサポート体２７を任意の高さに保持できる。
【００５６】
図１０（Ｂ）から理解できるように、ガイド溝穴６１は、後ろ向き係合枠部３８のうちサイドフレーム２０の内側面から内側に張り出した部分に形成されている。従って、請求項との関係では、本実施形態では、ガイド溝穴６１は内向き張り出し部に形成されていると云える。
【００５７】
サイドフレーム２０にはメッシュ材保持枠２３が重なっているので、ガイド溝穴６１は内向きに張り出した個所に形成することになるが、メッシュ材保持枠２３を備えていな場合など、条件が許せば、ガイド溝穴６１の一部又は全体がサイドフレーム２０の前面に形成されていてもよい。また、サイドフレーム２０の前面と内向き張り出し部の前面とに２本のガイド溝穴を形成して、ランバーサポート体１７に２つのスライダーを設けることも可能である。
【００５８】
ランバーサポート体２７の支持部２７ａは、正面視では概ね四角形であり、各コーナー部を丸く面取されている（正確な形状は図３（Ｂ）参照）。また、平面視と側面視では前向き凸状に緩く湾曲している。このため、メッシュ材１７は支持部２７ａの表面に滑らかに当たり、メッシュ材１７の特定個所に応力が集中するようなことはない。なお、ランバーサポート体２７はメッシュ材１７で後ろに押されているので、手前に抜け出ることはない。
【００５９】
ランバーサポート体２７の摘み２７ｂは、背面視で、側片２７ｃと上下片２７ｄとを有する内向き開口コ字形になっており、側片２７ｃが連結部カバー２８の側面板２８ｂに内側から重なっている。そして、ランバーサポート体２７は、ストッパー突起６３がガイド溝穴６４に嵌まっていることによって左右移動不能に保持されているため、連結部カバー２８は内向き移動不能に保持されている。
【００６０】
また、着座者の体圧がメッシュ材１７に掛かると、ランバーサポート体２７には、その内側部分が押されて、図１２において時計回り方向に回動させられるような外力が作用するが、摘み２７ｂが、連結部カバー２８の側面板２８を介して後ろ向き係合枠部３８の内側面（リブ４１）で支持されるため、ランバーサポート体２７は変形することなく、安定的に保持されている。
【００６１】
特に、摘み２７ｂはコ字形になっていて高い剛性を発揮しているため、ランバーサポート体２７の変形が確実に阻止されている。また、ランバーサポート体２７の変形がないため、スライダー６２には外力が及んでおらず、このため、スライダー６２はガイド溝穴６１において自由にスライドできる状態になっている。このため、ランバーサポート体２７の昇降操作も軽快に行える。
【００６２】
図１２に明示するように、ランバーサポート体２７の支持部２７ａのうち内側に位置した部位は、摘み２７ｂに連接されていない薄板状になっていて、その先端は自由端になっている。すなわち、ランバーサポート体２７の内端部は、片持ち梁の状態の薄板状になっている。このため、支持部２７ａの内端部がメッシュ材１７の押圧力によって撓み変形することか許容されている。その結果、クッション性を向上できると共に、メッシュ材１７の劣化も抑制できる。
【００６３】
以上、本願発明の実施形態を説明したが、本願発明は他にも様々に具体化できる。例えば、内向き張り出し部を、サイドフレームの前面から後ろに段落ちした状態に形成して、メッシュ材と内向き張り出し部との間にランバーサポート体の外端部を配置することも可能である。この場合は、ランバーサポート体の昇降ガイド手段としては、内向き張り出し部にガイド溝穴を形成して、ランバーサポート体にはスライダーを形成してもよいし、或いは、内向き張り出し部に前向きのガイドレール部を形成して、ランバーサポート体にはガイド溝又はガイド穴を形成してもよい。
【００６４】
左右の内向き張り出し部に昇降体を装架して、昇降体の左右端部を内向き張り出し部に昇降自在に装着して、昇降体にランバーサポート部を設けることも可能である。或いは、左右の内向き張り出し部に横長のステーを固定し、このステーにランバーサポート体を昇降自在に取り付けるといったことも可能である。ランバーサポート体を高さ調節するための係合手段も、ストッパー突起とストッパー溝との組み合わせの他に、様々の嵌合手段を採用できる。
【００６５】
また、適用対象は回転椅子には限らず、回転式でない移動自在な椅子や、劇場用椅子のような固定式椅子にも適用できる。背支柱も、必要に応じて様々な態様に具体化できる。
【産業上の利用可能性】
【００６６】
本願発明は、実際に椅子に具体化できる。従って、産業上利用できる。
【符号の説明】
【００６７】
２  座
３  背もたれ
１０  背支柱
１７  メッシュ材
１９  背枠体
２０  サイドフレーム
２２  メッシュ材
２３  前側部材の一例としてのメッシュ材保持枠
２４  メッシュ材保持枠のアッパーメンバー
２７  ランバーサポート体
２７ａ  支持部
２７ｂ  摘み
２８  連結部カバー
３１  背支柱の係合突起
３８  後ろ向き係合枠部
４１  サイドリブ
６１  ガイド溝穴
６２  スライダー
６２ａ  舌片
６３  ストッパー突起
６４  ストッパー溝
【図１】
2017113465.tif 000003
【図２】
2017113465.tif 000004
【図３】
2017113465.tif 000005
【図４】
2017113465.tif 000006
【図５】
2017113465.tif 000007
【図６】
2017113465.tif 000008
【図７】
2017113465.tif 000009
【図８】
2017113465.tif 000010
【図９】
2017113465.tif 000011
【図１０】
2017113465.tif 000012
【図１１】
2017113465.tif 000013
【図１２】
2017113465.tif 000014
【手続補正書】
【提出日】平成28年1月6日(2016.1.6)
【手続補正１】
【補正対象書類名】図面
【補正対象項目名】全図
【補正方法】変更
【補正の内容】
【図１】
2017113465.tif 000015
【図２】
2017113465.tif 000016
【図３】
2017113465.tif 000017
【図４】
2017113465.tif 000018
【図５】
2017113465.tif 000019
【図６】
2017113465.tif 000020
【図７】
2017113465.tif 000021
【図８】
2017113465.tif 000022
【図９】
2017113465.tif 000023
【図１０】
2017113465.tif 000024
【図１１】
2017113465.tif 000025
【図１２】
2017113465.tif 000026